(57)【要約】      （修正有）【課題】Ｇ伸びるとＲ元に戻るＳｐｒｉｎｇを用いたリターンＳｔｒｅｔｃｈ法。【解決手段】高分子又は分子ｈｉｇｈ  ｐｏｌｙｍｅｒ〜（ｂ）の「Ａ」の分子の糸を（肉眼では見えない）ので理論の方法で３Ｄストレッチ出来る布Ｋｎｉｔの面積空間〜（ｆ）のＡ〜ＣとＡｅスペースの相対性は高分子ｆｉｂｅｒ表布とその反転高分子ｆｉｂｅｒ裏布で相対性布地が〜（ｆ）と〜（ｈ）高分子Ｋｎｉｔ。【選択図】図１
2013082858.tif 000002
【特許請求の範囲】
【請求項１】
：Ｇ＝張力・：ｎ＝粘りの伸縮性は粘り巻き上げｂｅ  ｓｔｉｃｋｙ巻き上げるＷｉｎｄ  ｕｐ伸縮性の原理であるが、：Ｇ張力
2013082858.tif 000007
現象は引き返す：ｎ粘り（ｂｅ  ｓｔｉｃｋｙは元ｏｒｉｇｉｎ）の位置ｐｌａｃｅ又は元の型の伸長中央部分で逆（ｒｅｂｅｌ）引力ｇｒａｖｉｔａｔｉｏｎが高分子又は分子
2013082858.tif 000008
Ｓａｒｄｉｎａｌ  Ｐｏｉｎｔが伸縮性物体の欠陥の現象である。
2013082858.tif 000009
は元の型に戻るｒｅｓｔｏｒｅ（リストア）物質原理を伸縮性又はｓｔｒｅｔｃｈと云うが：ｎ粘りは反動高分子中央部で反対ｒｅｖｅｒｓｅ運動がｈｉｇｈ  ｐｏｌｙｍｅｒの性質をｓｔｒｅｔｃｈ又は伸縮性と云うが−−ｄｅｆｏｃｔ欠陥でＷｉｎｄ  ＵＰの：ｎ＝ｂｅ  ｓｔｉｃｋｙは元の位置には戻らないのが：ｎのｂｅ  ｓｔｉｃｋｙがｈｉｇｈ  ｐｏｌｙｍｅｒで正弦定理三角形７５°〜１００度そして本発明は：Ｇ張力：Ｒ戻る原理「ｒｅｓｔｏｒｅ  ｓｔｒｅｔｃｈ」とネイミングする新Ｎｅｗ「ｈｉｇｈ  ｐｏｌｙｍｅｒ  ｒｅｓｔｏｒｅ、ｓｔｒｅｔｃｈ」地球上の金属・ｃａｒ  ｓｐｒｉｎｇ・ｆｉｂｒｅ  ｓｐｒｉｎｇ＆ｇａｖｍｅｎｔなどの「ｈｉｇｈ  ｐｏｌｙｍｅｒ  ｒｅｔｕｒｎ  ｓｔｒｅｔｃｈ」すべての新ｈｉｇｈ  ｐｏｌｙｍｅｒ。
【請求項２】
：Ｇ張力で伸びる：Ｒもとの状態に復す高分子ｈｉｇｈ  ｐｏｌｙｍｅｒは微小で肉眼では見えないので表現を物理論しかない。そして図面のｈｉｇｈ  ｐｏｌｙｍｅｒ高分子は
2013082858.tif 000010
としてる
2013082858.tif 000011
側を黒に反転は図１〜（ｂ）〜４黒と裏は３白図１〜（ｅ）の写真で７（黒）そして白３は写真で６（白）のポリウレタン高分子ｒｅｓｔｏｒｅ  ｓｔｒｅｔｃｈ原理で作られたイヤホンである方法でナイロン糸・ポリエステル糸・昆紡糸イヤホンである
2013082858.tif 000012
などによって相対性縄よりあわせ糸は：Ｇ張力で伸びる＆：Ｒもとの状態に復す高分子「ｒｅｓｔｏｒｅ  ｓｔｒｅｔｃｈ  ｆｉｂｒｅ」その他金属、プラスチックスのｒｅｔｕｒｎ  ｓｔｒｅｔｃｈの製造方法。
【請求項３】
高分子ｆｉｂｒｅでｋｎｉｔ編地を正方形で編物ｋｎｉｔｉｎｇの方法で必然的に図１〜（ｆ）Ａ−ＣとＡｅの空間ｓｐａｃｅが正弦定理三角形０．６度空間ｓｐａｃｅからスタート編み物で表地３でＡ〜Ｂ〜Ｃ〜Ｄ正方形０．６°度空間の
2013082858.tif 000013
Ｋｎｉｔ  Ｆａｂｒｉｃを基本とするｒｅｔｕｒｎ又はｒｅｓｔｏｒｅもとの状態に復すｒｅｔｕｒｎ  ｓｔｒｅｔｃｈ  ｈｉｇｈ  ｐｏｌｙｍｅｒ  Ｋｎｉｔ。
図１〜（ｈ）は表地を
2013082858.tif 000014
を用いて合体縫い
2013082858.tif 000015
ｒｅｔｕｒｎ  ｓｔｒｅｔｃｈ２枚合体でｈｉｇｈ  ｐｏｌｙｍｅｒの糸と糸が連結ｃｏｎｎｅｃｔｉｏｎする方法は３枚連結及び４枚連結も出来る、そして通常のｋｎｉｔ編地も
2013082858.tif 000016
３枚連結、
2013082858.tif 000017
出来る編地は高分子ｆｉｂｒｅを使った編地がｒｅｔｕｒｎ  ｓｔｒｅｔｃｈする方法で表と裏側が糸と糸が連結とＴシャツ首囲りやポロシャツの上衿や：ワイシャツの上衿とＧ衿も連結し、上衣衿と見返しと見頃やＰａｎｔｓ左足部と右足部・携帯ポケットとその身頃やＣａｒ  Ｓｅａｔ．ビルデングの金属の部分で鉄骨が連結がＫｎｉｔ編みＤＥＳｉＧＮでｒｅｔｕｒｎ  ｓｔｒｅｔｃｈ骨組が正弦定理三角形８５°度Ｆａｂｒｉｃ  ｒｅｔｕｒｎ  ｓｔｒｅｔｃｈ「Ｉ  ｓｅｎｔ  ａ  ｐａｉｒ  ｏｆ  ｐａｎｔｓ  ｆｒｏｎｔ  ａｎｄ  ｂａｃｋ  ｌｎｃｈ  Ｍｉｓａｌｉｇｎｅｄ  ７５°〜８０°度」
「Ｉ  ｓｅｎｔ  ａ  ｐａｉｒ  ｏｆ  Ｋｎｉｔ  ＣＬＯＴＨ，ｌｅｆｔ  ａｎｄ  ｒｉｇｈｔ８５°度ｍｉｓａｌｉｇｎｅｄ」を利用して２枚連結・３枚連結・４枚連結ｒｅｔｕｒｎ  ｓｔｒｅｔｃｈする布帛布地及びｋｎｉｔＦａｂｒｉｃのｈｉｇｈ  ｐｏｌｙｍｅｒ  ｒｅｔｕｒｎ理論を用いてＫｎｉｔ  ＣＯＬＴＨのｒｅｔｕｒｎ  ｓｔｒｅｔｃｈの製造方法。
Ｉ．Ｐｈｏｎｅ−−−Ｉ  ｓｅｎｔ  ａ  ｐａｉｒ  ｏｆ  ｐｏｋｅｔ  ｒｅｔｕｒｎ  ｓｔｒｅｔｃｈ，Ｉ，Ｐｈｏｎｅ  ｌｅｈｔ  ａｎｄ  ｒｉｇｈｔ  ｌｎｃｈ  Ｍｉｓａｌｉｇｎｅｄ
Ｉ．Ｐａｄ−−−−−Ｉ  ｓｅｎｔ  ａ  ｐａｉｒ  ｏｆ  ｐｏｋｅｔ  ｒｅｔｕｒｎ  ｓｔｒｅｔｃｈ  Ｉ，Ｐａｄ  ｌｅｆｔ  ａｎｄ  ｒｉｇｈｔ  ｌｎｃｈ  Ｍｉｓａｌｉｇｎｅｄの製造方法。
【発明の詳細な説明】
【技術分野】
【０００１】本発明は先のＵ．Ｓ．ｐａｔ４３５７，７１４号Ｎｏｖ，９、１９８２  ｓｔｒｅｔｃｈ  ｆａｂｒｉｃはＮｅｗ  ｙｏｒｋ  Ｍａｃｙ’ｓ，ｐａｒｄｃｈｏｔｅ  Ｆａｓｈｉｏｎ  Ｍｉｔｓｕｒｕ  Ｉｎｖｅｎｔｉｏｎが始まりで次に再びＮｅｗｙｏｒｋでＬｙｃｒａ＝嘘の名称はｐｏｌｙｕｒｅｔａｎｅ商品名Ｌｙｃｒｄ＝偽ゴムと云うのは肉眼で粒子は見えないのでＤｕｐｏｎｔ−Ｌｙｃｒａ  Ｎｏｔ  ｇｒａｉｎ粒子＆遺伝子「オペロン東レ  Ｎｏｔ  ｇｒａｉｎ」有る様にＤｕｐｏｎｔ社がＧＡＰｉｎｃ社平成２０年（ネ）第１００４１号の高裁用証拠提出した高分子と代理人矢部（イワサハラ）は云うがこれは
2013082858.tif 000003
通常の化学の大学生は知っている形態が粒子ｇｒａｉｎラセン糸でＤｕｐｏｎｔｉｎｃの様に４本〜５本糸ではなを分りませんＬｙｃｒａ偽物糸Ｌｙｃｒａ  ｈｉｇｈ  ｐｏｌｙｍｅｒと嘘をついても
2013082858.tif 000004
明かにＤｕｐｏｎｔｃｏ，Ｎｏｔ粒子ｇｒａｉｎがオペロン（遺伝子）でも有りません今ファッション会はデザインの盗みあい集団を映画で云う「プラダを着た悪魔」ｄｅｖｉｌ集団で特許を取る知性はない。
私はＮｅｗ  ｙｏｒｋ  Ｐａｒｉｓ  Ｔｏｋｙｏと命をかけてｈｉｇｈ  ｐｏｌｙｍｅｒ発明Ｎｅｗ  ｙｏｒｋから１９９５年５月５日出願と同時に作品ｐｏｌｙｕｒｅｆａｎｅシャツをホワイトハウスヒラリークリントンさんに送付プレゼント品がＵ．Ｓ．Ｐａｔ４３３０４７号ｐｌｙｏｒｉｔｙがＤＵＰＯＮＴＩｎｃ製ではないのにそのＤＵＰＯＮＴＩｎｃとビルクリントンになぜか理由もなく、Ｕ．Ｓ．Ｐａｔ４３３０４７号を持込と入国が出来ないと云われ、ビルクリントンｓａｎへの手紙とＤＵＰＯＮＴＩｎｃから来た手紙も没収ｃｏｎｆｉｓｃａｔｉｏｎ１９９７年ｃｏｍｐｕｌｓｉｏｎ  ｓｅｎｄｉｎｇｂａｃｋでケネディエアーポートで４時間待たされた後、Ｕ．Ｓ．Ｐａｔ４３３０４７号はＤＵＰＯＮＴ社の物で日本人が特許を取る事は出来ないと云われた。
そしてＬｙｃｒａはＤｕｐｏｎｔ社の物で特許は取ってはいけない、と云われたがＬｙｃｒａは商品名で偽ゴム名称で本当はｐｏｌｙｕｒｅｔａｎｅでｈｉｇｈ  ｐｏｌｙｍｅｒと云って本特許はジュネーブ本部Ｌｙｃｒａデレクターアントニアから研究費支払うと云うのも嘘で今だに１＄も１フランも受取っていないのになぜＬｙｃｒａは特許を取ってはいけないかと云っても強引に飛行機に乗せられ強制送還、私は１９８９年フランス革命２００Ｌｙｃｒａ革命ファッションショーウ８回自費出品デザイナーで革命２００に選ばれたのはＬｙｃｒａの原料Ｆａｓｈｉｏｎ  ＤｅｓｉＧＮｅｒではなく、原料はｐｏｌｙｕｒｅｔａｎｅ高分子（ｈｉｇｈ  ｐｏｌｙｍｅｒ）のＤｅｓｉＧＮｅｒがフランス革命２００、１９８９を起した、つまりＬｙｃｒａはｐｏｌｙｕｒｅｔａｎｅ高分子ではない。たゞ商標名称が偽ゴムと云う得体ｎａｔｕｒｅ知れないが有名であるのはたしか、
【背景技術】
【０００２】従来、イヤホンコードや電話受話器コードはコード中央部で団子に絡まり（ｃｏｉｌ  ｒｏｕｎｄ）は伸長後に必然的に発生する欠陥現象をＡＰＰＬＥＩｎｃ  ＩＰｈｏｎｅの純正イヤホンで発見したのは縮み力学：ｎに欠陥で発正を発見し次に特開２００７−２７７７８７号で図１〜（ｂ）一本の縄左撚りともう一本の右撚り縄を結んでストレッチ出来る方法に結び目が課題が残った。
【発明が解決しようとする課題】
【０００３】まずポリウレタン高分子は肉眼で粒子ｇｒａｉｎが見えないので原理、理論を頭の中で考えるしかない、のはＧＡＰｃｏがＬｙｃｒａは高分子のｈｉｇｈ  ｐｏｌｙｍｅｒのＵ．Ｓ．ｎｏｔ  ｐａｔ  Ｌｙｃｒａ商標も偽ゴムだ
2013082858.tif 000005
ｇｒａｉｎは存在しない高分子ｅｘｉｓｔｅｎｃｅのＤｕｐｏｎｔは謎糸これがＤｕｐｏｎｔ  Ｎｏｔ  ｇｒａｉｎでＬｙｃｒａである本図は想像図にしても電子顕微鏡で本図を見てもたぶん高分子は見つからないがこれを解決しないと一歩も進まない謎ｈｉｎｔ。
【課題を解決するための手段】
【０００４】まずＵ．Ｓ．Ａ．Ｐａｔ４３５７７１４号ｎｏｖ．９．１９８２のｍｙ  Ｐａｔは布帛とＫｎｉｔでｓｔｒｅｔｈ．Ｆａｂｒｉｃの方法をより進化したｈｉｇｈ  ｐｏｌｙｍｅｒの一本で編み上げたＫｎｉｔ（これは現実ではなく理論頭の中の）電子顕微鏡でも出来ない方法はまず
2013082858.tif 000006
よる一本の糸で、図１〜（ｆ）図は正方形Ａ〜Ｂ〜Ｃ〜Ｄによって形成し通常Ｋｎｉｔ地はスタート編でＡ〜ｅの面積が必然的に正弦定理三角形の空間スペース０．６°機械の現象である（０．５°〜０．６°度とする方法で編上けたのは想像図で理論図しか方法がない（肉眼で見えない高分子の）完成図である）Ｋｎｉｔ編み基本の方法又はｒｕｌｅである。
【発明を実施するための最良の形態】
【０００５】高分子又は分子ｈｉｇｈ  ｐｏｌｙｍｅｒ図１〜（ｂ）の〔Ａ〕の分子の糸を（肉眼では見えない）ので理論の方法で３Ｄストレッチ出来る布Ｋｎｉｔの面積空間図１〜（ｆ）のＡ〜ＣとＡｅスペースの相対性は高分子ｆｉｂｒｅ表布とその反転高分子ｆｉｂｒｅ裏布で相対性布地が図１〜（ｆ）と図１〜（ｈ）高分子Ｋｎｉｔ布地。【０００６】図１〜（ｉ）は高分子糸布が３枚が相対性で合致の方法で３枚のｈｉｇｈ  ｐｏｌｙｍｅ  Ｋｎｉｔは空想理論（肉眼で見えないので）の方法で合体する（縫い合せ又は熱着で図１〜（ｇ）の横地テープ）などを使用する土台片で（ｇ）〜２０で縫製ｈｉｇｈ  ｐｏｌｙｍｅ  Ｋｎｉｔ白布と裏黒布は合体するストレッチが伸縮出来るｓｔｒｅｔｃｈａｂｌｅ  Ｆａｂｕｒｉｃ  Ｋｎｉｔの原理である。【０００７】あらゆるＫｎｉｔ編地を２面積図４〜（ｅ）表布１０の縫合せの１２で裏布〜１１での布地スタートは０．６°の正弦定理三角形の相対性左方向０．６と右方向０．６の空間を有する正方形布地を基本として、３面積、４面積に縫い合せで立体でストレッチ出来る方法で自動車内装布やｇａｒｍｅｎｔ、カーベット、ビルの鉄骨をＫｎｉｔスチールの方法、その他すべてのＫｎｉｔ地を相対性表と裏は縒糸は反対の縒り糸（左縒）と（右縒）反対伸縮立体的にストレッチが出来るのは４面積で全面Ｓｔｒｅｔｃｈａｂｌｅ図３〜（ｃ）〜（ｄ）完成図で伸縮する正方形ストレッチ出来る方法のＫｎｉｔ布地である
【実施例】
【実施例１】
【０００８】図２〜（ａ）〜（ｂ）〜（ｃ）〜（ｄ）〜（ｅ）はポリウレタンだけの高分子センイ又はｒｅｇｉｎ  ｈｉｇｈ  ｐｏｌｙｍｅｒを用いてポロシャツ（ｂ）実写真ポリウレタン又はナイロンｒｅｇｉｎのイヤホーンで（ｃ）図（ｄ）図はｈｉｇｈ  ｐｏｌｙｍｅｒだけで空想理論のＫｎｉｔ編布地をリターンｓｔｒｅｔｃｈの方法で正弦定理三角形のｓｐａｃｅ０．６°の布地を用いて図２〜（ａ）〜（ｂ）は反転布使用のポロシャツ
【実施例２】
【０００９】図２〜（ａ）〜（ｂ）〜（ｃ）〜（ｄ）〜（ｅ）図の（ａ）は高分子Ｋｎｉｔの方法で普通（通常）Ｋｎｉｔ地の左縒り糸と右縒り糸を合体縫いさせる方法で２枚合体縫い衿や３枚合体４枚合体縫い方法は鉄骨ビル（ｅ）も４枚鉄骨タワー設計ＤＥＳＩＧＮも出来てなお「携帯ｓｐａｃｅ３Ｄポケットも出来る」Ｉ，Ｐｈｏｎｅ用から上衣にはｋｎｉｔ布地でも土台片２０を付ける事で３Ｄパッチポケットが出来る。
【実施例３】
【００１０】リターンｓｔｒｅｔｃｈ  Ｋｎｉｔ２面で左縒り糸と右縒り糸の図５〜（ｃ）〜（Ｄ）は正弦定理三角形ダーツｃａｒｃｅａｔ＆Ｐａｎｔｓ
【実施例４】
【００１１】図６〜（ｄ）〜（ｅ）〜（ｆ）〜（ｇ）〜（ｈ）〜（ｉ）はすべて欠陥現象が発生するねぢれ現象でＴＯＹＯＴＡｃａｒがスプリングの表がプラスチックの場合（ｅ）の様に編込みＰｅｄａｌ  Ｃｏｉｌ  ｒｏｕｎｄ発生する欠陥実施例
【発明の効果】
【００１２】：Ｇ伸びると：Ｒ元に戻るＳｐｒｉｎｇを用いたリターンｓｔｒｅｔｃｈ法。
【図面の簡単な説明】
【００１３】
【図１】（ａ）〜（ｇ）は：Ｇ伸びる：Ｒ元に戻るＲｅｔｕｒｎ引力ｓｔｒｅｔｃｈスプリングの糸と布Ｋｎｉｔの製造方法の基本的手順を示す概略斜視図である
【図２】（ａ）〜（ｅ）は：Ｇ伸びる：Ｒ元に戻るＲｅｔｕｒｎ引力のｓｔｒｅｔｃｈスプリング高分子布地の理論を用いたシャツの製造方法の基本的な手順を示す概略斜視図である。
【図３】（ａ）〜（ｅ）はＲｅｔｕｒｎ  ｇｒａｖｉｔａｔｉｏｎ  ｓｔｒｅｔｃｈスプリングのｋｎｉｔ編を合体をさせる本発明の基本的な手順を示す概略斜視図である。
【図４】（ａ）〜（ｅ）はＲｅｔｕｒｎ  Ｋｎｉｔ引力のｓｔｒｅｔｃｈスプリング機能の本発明の方法の基本的な手順を示す概略斜視図である。
【図５】（ａ）〜（ｅ）は布帛＆Ｋｎｉｔ正弦定理三角形Ｍｉｓａｌｉｇｎｅｄ誤差の本発明の方法の基本的な手順を示す概略斜視図である。
【図６】（ａ）〜（ｃ）はＫｎｉｔ  Ｆａｂｒｉｃの相対性正弦定理三角形Ｍｉｓａｌｉｇｎｅｄ（誤差）の本発明の方法の基本的な手順を示す概略斜視図である．．（ｄ）〜（ｊ）はｄｅｆｏｃｔ欠陥スプリングの基本的欠陥のスプリングを示す概略斜視図である。
【符号の説明】
【００１４】ｘ−−−−ｃｒｏｏｋ−ｅｄ（曲がった）正弦定理三角形のｓｐａｃｅ
１−−−−表側Ｎｉｌｏｎ．ｐｌｙｅｓｔｅｒ．ｍｅｔａｌｓ
２−−−−裏側Ｎｉｌｏｎ．ｐｌｙｅｓｔｅｒ．ｍｅｔａｌｓ
３−−−−正弦定理三角形の角度の表側高分子ｈｉｇｈ  ｐｏｌｙｍｅｒ
４−−−−正弦定理三角形の角度の裏側高分子ｈｉｇｈ  ｐｏｌｙｍｅｒ
５−−−−高分子ｇｒａｉｎ表側（粒子）
５′−−−−高分子ｇｒａｉｎ裏側（粒子）
６−−−−Ｎｉｌｏｎ  ｐｌｙｅｓｔｅｒ  ｍｅｔａｌｓの左縒り表側
７−−−−Ｎｉｌｏｎ  ｐｌｙｅｓｔｅｒ  ｍｅｔａｌｓの右縒り裏側
８−−−−縄より糸縒り左バイアス方向
９−−−−縄より糸縒り右バイアス方向
１０−−−−Ｋｎｉｔ  ＣＬＯＴＨ表側
１１−−−−Ｋｎｉｔ  ＣＬＯＴＨ反転裏側
１２−−−−Ｋｎｉｔ  ＣＬＯＴＨ合体縫目又は熱着部
１３−−−−Ｋｎｉｔ縄より糸表側
１４−−−−Ｋｎｉｔ縄より糸反転裏側
１５−−−−Ｋｎｉｔ  ＣＬＯＴＨ  Ｔシャツ表布折目（衿上側）
１６−−−−Ｋｎｉｔ  ＣＬＯＴＨ  Ｔシャツ裏布折目（衿下側）
１７−−−−携帯ポケットダーツｓｐａｃｅ正弦定理三角形
１８−−−−携帯電話ポケットの相対性面積
１９−−−−携帯電話ポケットのＩ，Ｐｈｏｎｅの表面積
１９２−−−−携帯ポケットＩ，Ｐａｄの表面積
２０−−−−Ｋｎｉｔ  ＣＬＯＴＨに使用する小編目布、土台片
２１−−−−表Ｋｎｉｔ＆布帛の必然的編目空間ｓｐａｃｅ正弦定理三角形
２１２−−−−裏Ｋｎｉｔ＆布帛の必然的編目空間ｓｐａｃｅ正弦定理三角形
２２−−−−表と裏でＫｎｉｔ縫い合で透き間ｃｒｅｖｉｃｅ欠陥図
２３−−−−ねぢれ現象ｄｅｆｏｃｔ電話機の電線の欠陥図
２３２−−−−Ｃａｒ  ｐｅｄａｌアクセルでコイル巻付き団子現象発生部
Ａ〜Ｂ〜Ｃ〜Ｄ−−−−正方形表側Ｋｎｉｔ布地
Ａ′〜Ｂ′〜Ｃ′〜Ｄ′−−−−正方形裏側反転Ｋｎｉｔ布地
Ａ〜Ｃ〜０．６°〜ｅ−−−正弦定理三角形０．６°ｓｐａｃｅ表
Ａ′〜Ｃ′〜０．６°〜ｅ′−−−正弦定理三角形０．６°ｓｐａｃｅ裏
Ｚ−−−−左縒バイアス糸と右縒バイアス糸と合体
Ｉ，Ｐｈｏｎｅ−−−Ｉ  ｓｅｎｔ  ａ  ｐａｉｒ  ｏｆ  ｐｏｋｅｔ  Ｉ，Ｐｈｏｎｅ  ｌｅｆｔ  ａｎｄ  ｒｉｇｈｔ  ｌｎｃｈ  Ｍｉｓａｌｉｇｎｅｄ
Ｉ，ｐａｄ−−−−−Ｉ  ｓｅｎｔ  ａ  ｐａｉｒ  ｏｆ  ｐｏｋｅｔ  Ｉ，Ｐａｄ  ｌｅｆｔ  ａｎｄ  ｒｉｇｈｔ  ｌｎｃｈ  Ｍｉｓａｌｉｇｎｅｄ
【図１】
2013082858.tif 000018
【図２】
2013082858.tif 000019
【図３】
2013082858.tif 000020
【図４】
2013082858.tif 000021
【図５】
2013082858.tif 000022
【図６】
2013082858.tif 000023